(57)【要約】【課題】駆動動作を複雑にすることなくシートの駆動動作を切り替えること。【解決手段】シート制御装置は、車室内と車室外との間を移動可能なシートに物体が載っているか否かを検知する物体検知部と、物体検知部によりシートに物体が載っていると検知された場合に、シートを移動させるモードを第１のモードに決定し、物体検知部によりシートに物体が載っていないと検知された場合には、シートを移動させるモードを第１のモードによるシートの移動の速度よりも速い速度でシートを移動させる第２のモードに決定するモード決定部と、モード決定部によって決定されたモードに基づいてシートの移動を制御する移動制御部と、を備え、モード決定部は、シートが移動する区間のうち禁止区間においては、第１のモードと第２のモードとの切り替えを行わない。【選択図】図７
2018034661.tif 000002
【特許請求の範囲】
【請求項１】
車室内と車室外との間を移動可能なシートに物体が載っているか否かを検知する物体検知部と、
前記物体検知部により前記シートに前記物体が載っていると検知された場合に、前記シートを移動させるモードを第１のモードに決定し、前記物体検知部により前記シートに前記物体が載っていないと検知された場合には、前記シートを移動させるモードを前記第１のモードによる前記シートの移動の速度よりも速い速度で前記シートを移動させる第２のモードに決定するモード決定部と、
前記モード決定部によって決定されたモードに基づいて前記シートの移動を制御する移動制御部と、
を備え、
前記モード決定部は、前記シートが移動する区間のうち禁止区間においては、前記第１のモードと前記第２のモードとの切り替えを行わない、
シート制御装置。
【請求項２】
前記移動制御部は、前記シートを前記第２のモードで前記禁止区間を移動させている状態で、前記物体検知部により前記シートに前記物体が載っていることが検知された場合に、前記シートの移動を停止させる、
請求項１に記載のシート制御装置。
【請求項３】
前記移動制御部は、前記シートが前記禁止区間に位置している場合に、前記第１のモードに対応付けられた前記シートの移動軌跡である第１の移動軌跡と、前記第２のモードに対応付けられた前記シートの移動軌跡である第２の移動軌跡との切り替えを行わない、
請求項１または２に記載のシート制御装置。
【請求項４】
前記移動制御部は、前記シートを前記第１のモードで前記禁止区間以外の区間を移動させている状態で、前記物体検知部により前記シートに前記物体が載っていないと検知された場合に、前記シートを移動させる移動軌跡を、前記第１の移動軌跡から前記第２の移動軌跡に切り替える、
請求項３に記載のシート制御装置。
【請求項５】
前記移動制御部は、前記シートを前記第２のモードで前記禁止区間以外の区間を移動している状態で、前記物体検知部により前記シートに前記物体が載っていると検知された場合に、前記シートを移動させる移動軌跡を、前記第２の移動軌跡から前記第１の移動軌跡に切り替える、
請求項３または４に記載のシート制御装置。
【請求項６】
コンピュータが、
車室内と車室外との間を移動可能なシートに物体が載っているか否かを検知し、
前記シートに前記物体が載っていると検知された場合に、前記シートを移動させるモードを第１のモードに決定し、前記シートに前記物体が載っていないと検知された場合には、前記シートを移動させるモードを前記第１のモードによる前記シートの移動の速度よりも速い速度で前記シートを移動させる第２のモードに決定し、
決定されたモードに基づいて前記シートの移動を制御し、
前記シートが移動する区間のうち禁止区間においては、前記第１のモードと前記第２のモードとの切り替えを行わない、
シート制御方法。
【発明の詳細な説明】
【技術分野】
【０００１】
本発明は、シート制御装置、シート制御方法に関する。
【背景技術】
【０００２】
車両への乗員の乗り降りを容易にするために、乗員を乗せたままの状態で、シートを車室内と車室外との間で移動させるシート制御装置がある。乗員がシートに着座している場合には、シート制御装置は、着座姿勢を崩したり、乗員の手足と車両とが干渉したりしないように、安全性に配慮した移動速度および駆動動作でシートを移動させる必要がある。一方、乗員がシートに着座していない場合には、シート制御装置は、シートの移動時間の短縮や消費電力削減のため、シートの移動速度を速くしたり、シートの駆動動作の一部を省略させたりすることがある。例えば、特許文献１に記載の車両のシート駆動装置は、一部の駆動動作を省略したり、シートの移動量を少なくしたりする技術が知られている（例えば、特許文献１参照）。
【先行技術文献】
【特許文献】
【０００３】
【特許文献１】特開２０１３−１８３４１号公報
【発明の概要】
【発明が解決しようとする課題】
【０００４】
しかしながら、従来技術では、シートが移動している間に乗員が着座しているか否かの状態が変化したことによって、シートの駆動動作を切り替える場合には、切り替え後の駆動動作に対応する位置までシートを移動させるための制御が必要になるため、駆動動作は複雑になり、設計コスト等が増大する場合がある。
【０００５】
本発明は、このような事情を考慮してなされたものであり、駆動動作を複雑にすることなくシートの駆動動作の切り替えを制御することができるシート制御装置、シート制御方法を提供する。
【課題を解決するための手段】
【０００６】
請求項１記載の発明は、車室内と車室外との間を移動可能なシート（４０）に物体が載っているか否かを検知する物体検知部（１０２１）と、前記物体検知部により前記シートに前記物体が載っていると検知された場合に、前記シートを移動させるモードを第１のモードに決定し、前記物体検知部により前記シートに前記物体が載っていないと検知された場合には、前記シートを移動させるモードを前記第１のモードによる前記シートの移動の速度よりも速い速度で前記シートを移動させる第２のモードに決定するモード決定部（１０３）と、前記モード決定部によって決定されたモードに基づいて前記シートの移動を制御する移動制御部（１０４）と、を備え、前記モード決定部は、前記シートが移動する区間のうち禁止区間においては、前記第１のモードと前記第２のモードとの切り替えを行わない、シート制御装置（１０）である。
【０００７】
請求項２記載の発明は、請求項１に記載のシート制御装置であって、前記移動制御部は、前記シートを前記第２のモードで前記禁止区間を移動させている状態で、前記物体検知部により前記シートに前記物体が載っていることが検知された場合に、前記シートの移動を停止させるものである。
【０００８】
請求項３記載の発明は、請求項１または請求項２に記載のシート制御装置であって、前記移動制御部は、前記シートが前記禁止区間に位置している場合に、前記第１のモードに対応付けられた前記シートの移動軌跡である第１の移動軌跡と、前記第２のモードに対応付けられた前記シートの移動軌跡である第２の移動軌跡との切り替えを行わないものである。
【０００９】
請求項４記載の発明は、請求項３に記載のシート制御装置であって、前記移動制御部は、前記シートを前記第１のモードで前記禁止区間以外の区間を移動させている状態で、前記物体検知部により前記シートに前記物体が載っていないと検知された場合に、前記シートを移動させる移動軌跡を、前記第１の移動軌跡から前記第２の移動軌跡に切り替えるものである。
【００１０】
請求項５記載の発明は、請求項３または請求項４に記載のシート制御装置であって、前記移動制御部は、前記シートを前記第２のモードで前記禁止区間以外の区間を移動している状態で、前記物体検知部により前記シートに前記物体が載っていると検知された場合に、前記シートを移動させる移動軌跡を、前記第２の移動軌跡から前記第１の移動軌跡に切り替えるものである。
【００１１】
請求項６記載の発明は、コンピュータが、車室内と車室外との間を移動可能なシートに物体が載っているか否かを検知し、前記シートに前記物体が載っていると検知された場合に、前記シートを移動させるモードを第１のモードに決定し、前記シートに前記物体が載っていないと検知された場合には、前記シートを移動させるモードを前記第１のモードによる前記シートの移動の速度よりも速い速度で前記シートを移動させる第２のモードに決定し、決定されたモードに基づいて前記シートの移動を制御し、前記シートが移動する区間のうち禁止区間においては、前記第１のモードと前記第２のモードとの切り替えを行わない、シート制御方法である。
【発明の効果】
【００１２】
請求項１および請求項６に記載の発明によれば、シートの駆動動作の切り替えを行うとシートの駆動動作が複雑になる区間である禁止区間では、駆動動作の切り替えを禁止することにより、駆動動作を複雑にすることなくシートの駆動動作の切り替えを制御することができる。
【００１３】
請求項２に記載の発明によれば、シートに乗員が着座していない場合のモードでシートが移動している際に乗員がシートに着座した場合にはシートの移動を停止させるため、安全にシートの移動を制御することができる。
【００１４】
請求項３に記載の発明によれば、シートの移動軌跡の切り替えを行うとシートの駆動動作が複雑になる区間である禁止区間では、シートの移動軌跡の切り替えを禁止することにより、駆動動作を複雑にすることなくシートの駆動動作の切り替えを制御することができる。
【００１５】
請求項４および請求項５に記載の発明によれば、シートの移動軌跡の切り替えを行うとシートの駆動動作が複雑になる区間である禁止区間以外の区間である許可区間では、シートの移動軌跡の切り替えを許可することにより、シートの移動制御における安全性を保ちつつ、シートの移動時間の短縮およびシートの移動における消費電力の削減を図ることができる。
【図面の簡単な説明】
【００１６】
【図１】本発明の実施形態に係るシート制御装置１０によるシート４０の移動制御の概要を示す概略図である。
【図２】本発明の実施形態に係るシート制御装置１０によるシート４０の移動制御のタイミングを示す概略図である。
【図３】本発明の実施形態に係るシート制御装置１０によって移動制御されるシート４０の移動を操作する部材の概要を示す概略図である。
【図４】本発明の実施形態に係るシート制御装置１０による乗員の検知の概要を示す概略図である。
【図５】本発明の実施形態に係るシート制御装置１０によるシート４０の移動軌跡の概要を示す概略図である。
【図６】本発明の実施形態に係るシート制御装置１０によるシート４０の移動の移動軌跡を示す図である。
【図７】本発明の実施形態に係るシート制御装置１０の機能構成を示すブロック図である。
【図８】本発明の実施形態に係るシート制御装置１０の動作を示すフローチャートである。
【図９】本発明の実施形態に係るシート制御装置１０の動作を示すフローチャートである。
【図１０】本発明の実施形態に係るシート制御装置１０の動作を示すフローチャートである。
【発明を実施するための形態】
【００１７】
以下、図面を参照し、本発明のシート制御装置の実施形態について説明する。
【００１８】
＜実施形態＞
図１は、本発明の実施形態に係るシート制御装置１０によるシート４０の移動制御の概要を示す概略図である。
【００１９】
車両１の前席左側である助手席側に設置されているシート４０は、車両１の車室内と車室外の乗降位置とを移動可能である。図示するように、シート４０は、図１（Ａ）の状態から図１（Ｅ）までの状態を順に経ることにより、車両１の車室内から車室外の乗降位置へ振出される。また、シート４０は、振出の場合の動作の順番とは逆に、図１（Ｅ）の状態から図１（Ａ）までの状態を順に経ることにより、車両１の車室外の乗降位置から車室内へシート４０が格納される。なお、図１においては、シート４０には乗員が着座していない状態であるが、シート４０に乗員が着座していてもよい。車両１のシート４０が、車室内と車室外の乗降位置との間を移動することができることにより、例えば、体が不自由な高齢者や身体障害者等の車両１への乗り降りが容易になる。
【００２０】
なお、本実施形態においては、シート４０は助手席側に設置されているシートであるものとしたが、これに限られない。シート４０は、例えば、運転手席側に設置されているシート、または後部座席に設置されているシート等でもよい。
【００２１】
以下、シート４０が振出される場合を例に、図１（Ａ）の状態から図１（Ｅ）の状態までの各状態についてそれぞれ説明する。
【００２２】
まず、シート４０の振出が開始する際の状態である図１（Ａ）の状態から、シート４０は、車両１の後方へ向かって所定の距離だけ移動する。これは、次の図１（Ｂ）の状態においてシート４０が回転する際に、着座している乗員の足がフロントピラー等と干渉することを防止するためである。
【００２３】
次に、図１（Ｂ）に図示するように、シート４０は左回りに回転を開始し、シート４０に着座している乗員の足が車室外の方向へ向けられる。
【００２４】
次に、図１（Ｃ）に図示するように、シート４０は左回りに回転を開始してから９０度回転するまでの間に、シート４０は再び前方へ向かって所定の距離だけ移動する。これは、シート４０の後部が車室外へ移動することができるようにするための動作である。
【００２５】
次に、図１（Ｄ）に図示するように、シート４０は背もたれをシート４０の後方へ倒しながら、シート４０はシート４０の前方へ（車室外の方向へ）移動する。背もたれを後方へ倒すのは、着座している乗員の頭部が車両１のルーフ部分と干渉することを防止するためである。
【００２６】
次に、図１（Ｅ）に示すように、シート４０の座面部分の全体が車室外へ移動したところで、シート４０は背もたれをシート４０の前方へ再び起こしながら、シート４０は所定の高さだけ下降する。これは、シート４０の地面からの高さを低くし、背もたれを起こすことによって、着座している乗員が車両１から降り易くするためである。
【００２７】
上述したように、乗員が車両１に乗車するためにシート４０が車室外の乗降位置から車室内へ格納される場合には、上記とは逆に、図１（Ｅ）の状態で乗員がシート４０に着座し、図１（Ｄ）、図１（Ｃ）、図１（Ｂ）の状態を経ることにより、車両１が走行する際のシート４０の位置である図１（Ａ）に示す位置へシート４０が移動する。
【００２８】
図２は、本発明の実施形態に係るシート制御装置１０によるシート４０の移動制御のタイミングを示す概略図である。図１に示したシート４０の移動の一連の動作は、図２に示す「回転」、「前後スライド」、「外スライド」、および「昇降」の４種類の動作の組み合わせによって構成されている。シート４０は、車両１の車室内の位置と車室外の乗降位置との間を移動する場合に、「前後スライド」、「外スライド」、および「昇降」の少なくとも１つの駆動により、位置ＰＴ１から位置ＰＴ７までの各位置に移動する。各位置は、３次元の位置情報だけでなく、角度情報も含む。
【００２９】
図１（Ａ）に示した、シート４０が車両１の後方へ向かって所定の距離だけ移動する動作は、「前後スライド」の動作である。「前後スライド」の動作により、シート４０は、位置ＰＴ１から位置ＰＴ２まで移動する。
【００３０】
図１（Ｂ）、図１（Ｃ）、および図１（Ｄ）に示した、シート４０が左回りに回転を開始し、９０度回転してシート４０に着座している乗員の足が車室外の方向へ向けられるまでの動作には、「回転」の動作が含まれる。当該動作は、図２においては、位置ＰＴ２から位置ＰＴ５までの区間において行われる「回転」の動作として示されている。
【００３１】
図１（Ｃ）、および図１（Ｄ）に示した、シート４０が左回りに回転を開始してから９０度回転するまでの間に、シート４０が再び前方へ向かって所定の距離だけ移動する動作には、「前後スライド」の動作が含まれる。当該動作は、図２においては、位置ＰＴ３から位置ＰＴ５までの区間において行われる「前後スライド」の動作として示されている。
【００３２】
図１（Ｄ）に示した、シート４０がシート４０の前方へ（車室外の方向へ）移動する動作には、「外スライド」の動作が含まれる。当該動作は、図２においては、位置ＰＴ４から位置ＰＴ６までの区間において行われる「外スライド」の動作として示されている。
【００３３】
図１（Ｅ）に示した、シート４０座面部分の全体が車室外へ移動したところで、シート４０が所定の高さだけ下降する動作には、「昇降」の動作が含まれる。当該動作は、図２においては、位置ＰＴ５から位置ＰＴ７までの区間において行われる「昇降」の動作として示されている。図示するように、位置ＰＴ７は、シート４０の振出のための移動の動作の終了位置である。
【００３４】
このように、シート制御装置１０は、シート４０の位置に応じて、「回転」、「前後スライド」、「外スライド」、および「昇降」の４種類の動作を適宜組み合わせて実行することよって、シート４０を車室内と車室外との間で移動させることができる。なお、本実施形態においては、シート制御装置１０は、シート４０の位置に応じて、シート４０の移動の動作を制御するものとしたが、これに限られない。例えば、シート制御装置１０が、シート４０の移動の動作を開始してからの累積の経過時間に応じて、シート４０の移動の動作を制御するようにしてもよい。
【００３５】
なお、本実施形態では、上述した位置ＰＴ１〜位置ＰＴ７のうち、位置ＰＴ２から位置ＰＴ５までの区間を、シート４０の移動時のモードの切り替えを禁止する「禁止区間」とする。またそれ以外の区間をモードの切り替えを許可する「許可区間」とする。例えば、禁止区間は、シート４０を回転駆動させる区間を含む。禁止区間、許可区間の詳細については、後述する。なお、許可区間は禁止区間の前の区間または後の区間の少なくとも一方の区間であってもよいし、許可区間はなく禁止区間のみであってもよい。
【００３６】
図３は、本発明の実施形態に係るシート制御装置１０によって移動制御されるシート４０の移動を操作する部材の概要を示す概略図である。
【００３７】
シート４０の移動は、リモコン（リモートコントローラ）５０、またはシート４０の側面に備えられている昇降操作スイッチ４０１を用いて行われる。なお、リモコン５０および昇降操作スイッチ４０１の操作は、例えば、シート４０に着座する高齢者や身体障害者等を介護する介護者等によって行われる。
【００３８】
図３（Ａ）に示すリモコン５０には、「電源」ボタン、「入」ボタン、および「出」ボタンが備えられている。リモコン５０を用いて、シート４０の振出または格納が行われる場合には、まず「電源」ボタンが押下される。その後、「入」ボタンが押下された場合には、当該「入」ボタンが押下されている間のみ、シート４０は格納のための移動の動作を行う。また同様に、「出」ボタンが押下された場合には、「出」ボタンが押下されている間のみ、シート４０は振出のための移動の動作を行う。
【００３９】
このように、「入」ボタンまたは「出」ボタンが押下されている間のみシート４０の移動の動作が行われるため、例えば、リモコン５０を操作する介護者等がシート４０を移動させている間に何らかの異常が発生してシート４０の移動を停止させなければならない場合であっても、「入」ボタンまたは「出」ボタンから手を放すことでシート４０の移動をすぐに停止させることができる。
【００４０】
図３（Ｂ）は、シート４０に昇降操作スイッチ４０１が備えられている様子を表す。図示するように、昇降操作スイッチ４０１には、上向きの三角と下向きの三角の図柄が描かれている。昇降操作スイッチ４０１の上向きの三角の図柄が描かれた部分が押下された場合には、当該部分が押下されている間のみ、シート４０は格納のための移動の動作を行う。また同様に、昇降操作スイッチ４０１の下向きの三角の図柄が描かれた部分が押下された場合には、当該部分が押下されている間のみ、シート４０は振出のための移動の動作を行う。
【００４１】
このように、昇降操作スイッチ４０１が押下されている間のみシート４０の移動の動作が行われるため、例えば、昇降操作スイッチ４０１を操作する介護者がシート４０を移動させている間に何らかの異常が発生してシート４０の移動を停止させなければならない場合であっても、昇降操作スイッチ４０１から手を放すことでシート４０の移動をすぐに停止させることができる。
【００４２】
本実施形態に係るシート制御装置１０は、シート４０に乗員が着座しているか否かを検知して、検知した結果に応じてシート４０を移動させる際の移動速度を切り替えることができる。シート４０は、乗員が着座していると検知された場合には通常モード（第１のモード）で移動し、乗員が着座していないと検知された場合には通常モードよりも速い速度で移動するモードである高速モード（第２のモード）で移動する。
【００４３】
また、本実施形態に係るシート制御装置１０は、通常モードの場合には第１の移動軌跡でシート４０を移動させ、高速モードの場合には第１の移動軌跡よりも短い移動軌跡である第２の移動軌跡でシート４０を移動させる。
【００４４】
以下、シート４０に乗員が着座しているか否かの検知における処理ついて、図面を参照しながら説明する。図４は、本発明の実施形態に係るシート制御装置１０による乗員の検知の概要を示す概略図である。
【００４５】
図４（Ａ）は、シート４０を上方から見た様子を表したものである。図示するように、シート４０の座面には、乗員検知センサー２０が内蔵されている。乗員検知センサー２０には、４箇所にスイッチ２０１が備えられている。乗員検知センサー２０には、４箇所にスイッチ２０１−１〜２０１−４が備えられている。以下、スイッチ２０１−１〜２０１−４を区別せずに説明する場合には、「スイッチ２０１」と総称する。スイッチ２０１は、例えば、メンブレンスイッチである。乗員がシート４０に着座すると、乗員の体重による圧力によってスイッチ２０１が押下され、スイッチ２０１がオフ（ＯＦＦ）からオン（ＯＮ）に切り替わる。また、シート４０に着座している乗員がシート４０から離れると、乗員の体重による圧力が無くなることによってスイッチ２０１が引き上げられ、スイッチ２０１はオンからオフに切り替わる。
【００４６】
図４（Ｂ）は、シート制御装置１０が、乗員の検知、および乗員検知機能の故障の検知を行うための回路を示す。図示するように、シート制御装置１０と乗員検知センサー２０とはワイヤーハーネス３０によって接続されている。また、シート制御装置１０は常時電源１２とＡ／Ｄ（Ａｎａｌｏｇ／Ｄｉｇｉｔａｌ；アナログ／デジタル）変換器１４とを備えている。
【００４７】
当該回路により、スイッチ２０１がオンであるかオフであるかによって、Ａ／Ｄ変換器１４に流れる電流が変化する。すなわち、スイッチ２０１の少なくとも１つがオンの状態になった場合、図４（Ｂ）に示すように全てのスイッチ２０１がオフの状態である場合と比べて、Ａ／Ｄ変換器１４に流れる電流はより小さくなる。
【００４８】
また、乗員検知センサー２０内の回路が断線したり、ワイヤーハーネス３０が断線したりした場合、図４（Ｂ）に示すように全てのスイッチ２０１がオフの状態である場合と比べて、Ａ／Ｄ変換器１４に流れる電流はより大きくなる。
【００４９】
Ａ／Ｄ変換器１４は、流れる電流の電流値を、「Ｌｏ（ｌｏｗ；低）」、「Ｍｉｄ（ｍｅｄｉｕｍ；中）」、「Ｈｉ（Ｈｉｇｈ；高）」の三段階の値に変換する。これにより、シート制御装置１０は、Ａ／Ｄ変換器に流れる電流が「Ｌｏ」ならばシート４０に乗員が着座していると判定し、Ａ／Ｄ変換器に流れる電流が「Ｍｉｄ」ならばシート４０に乗員が着座していないと判定し、およびＡ／Ｄ変換器に流れる電流が「Ｈｉ」ならば乗員検知センサー２０による乗員検知機能が故障していると判定することができる。このように、シート制御装置１０は、乗員の検知、および乗員検知機能の故障の検知を行うことができる。
【００５０】
なお、乗員検知機能の故障を検知する構成は本発明において必須の構成ではないため、以下の説明においては、乗員検知機能が故障した場合についての説明は省略する。
【００５１】
シート制御装置１０は、リモコン５０または昇降操作スイッチ４０１からシート４０の振出または格納の指示を示す情報を取得した場合、シート４０に乗員が乗っていると検知したならば、通常モードでシート４０を移動させる。また、シート制御装置１０は、リモコン５０または昇降操作スイッチ４０１からシート４０の振出または格納の指示を示す情報を取得した場合、シート４０に乗員が乗っていないと検知したならば、高速モードでシート４０を移動させる。
【００５２】
また、シート制御装置１０が、シート４０を振出または格納するための移動をさせている間に、乗員の検知の検知結果に変化があった場合のシート制御装置１０の動作は以下の通りとなる。
【００５３】
シート制御装置１０が、通常モードでシート４０を振出または格納するための移動をさせている間に、シート４０に乗員が乗っていないと検知した場合、通常モードから高速モードへ切り替える。また、シート制御装置１０が、高速モードでシート４０を振出または格納するための移動をさせている間に、シート４０に乗員が乗っていると検知した場合、高速モードから通常モードへ切り替える。
【００５４】
以下、モードの切り替えにおける移動軌跡の違いについて説明する。図５は、本発明の実施形態に係るシート制御装置１０によるシート４０の移動軌跡の概要を示す概略図である。図５（Ａ）は、シート４０に乗員が着座している場合（通常モード）における、シート４０の振出のための移動の移動軌跡を示す。また、図５（Ｂ）は、シート４０に乗員が着座していない場合（高速モード）における、シート４０の振出のための移動の移動軌跡を示す。
【００５５】
シート制御装置１０は、乗員検知センサー２０の検知結果によりシート４０に乗員が着座していると判定された場合とシート４０に乗員が着座していないと判定された場合とで、それぞれ異なる移動軌跡でシート４０の振出および格納のための移動をさせる。
【００５６】
例えば、シート４０に乗員が着座している場合には、シート制御装置１０は、通常モードでのシート４０の移動を行う。通常モードの場合、シート４０は、図５（Ａ）に示すように、インストルメントパネル６０、乗降用ドア７０、およびセンターピラー８０とは常に一定以上の距離を保ちながら（クリアランスを十分に確保して）移動するような移動軌跡（第１の移動軌跡）で移動する。これにより、シート制御装置１０は、シート４０に着座している乗員の手足と車両１のいずれかの箇所とが干渉したりすることがないようにシート４０の移動をさせることができる。
【００５７】
一方、シート４０に乗員が着座していない場合には、シート制御装置１０は、高速モードでのシート４０の移動を行う。高速モードの場合、シート４０に着座している乗員の手足と車両１のいずれかの箇所とが干渉したりすることを考慮せずに、シート４０を移動させることができる。つまり、高速モードの場合、シート制御装置１０は、図５（Ｂ）に示すように、図５（Ａ）に示す第１の移動軌跡よりも、より短い移動軌跡（第２の移動軌跡）でシート４０を移動させる。これにより、シート制御装置１０は、シート４０に乗員が着座していない場合には、シート４０に乗員が着座している場合と比べて、より短い移動時間およびより少ない消費電力（例えば、シート４０を移動させるためのモータ等が消費する消費電力）でシート４０を移動させることができる。
【００５８】
このように、シート制御装置１０は、シート４０に乗員が着座している場合には上述した通常モードでシート４０を移動させ、シート４０に乗員が着座していない場合には上述した高速モードでシート４０を移動させる。上述した通常モードおよび高速モード等の各モードには、速度情報または移動軌跡の少なくともの一方の情報が含まれる。これにより、シート制御装置１０は、シート４０に乗員が着座していない場合には、シート４０に乗員が着座している場合と比べて、より短い移動時間およびより少ない消費電力でシート４０を移動させることができる。
【００５９】
図６は、本発明の実施形態に係るシート制御装置１０によるシート４０の移動の移動軌跡を示す図である。
【００６０】
図６は、図５（Ａ）および図５（Ｂ）にそれぞれ示した、通常モードにおける第１の移動軌跡と高速モードにおける第２の移動軌跡とを重ね合わせた状態を示す。図示するように、第１の移動軌跡と第２の移動軌跡とは異なる移動軌跡となっている。すなわち、高速モードにおける第２の移動軌跡は、通常モードにおける第１の移動軌跡と比べてより移動距離の短い移動軌跡となっている。
【００６１】
シート制御装置１０は、乗員がシート４０に着座している状態でシート４０を移動させている場合（すなわち、通常モードでシート４０を移動させている場合）において、例えば、着座していた乗員がシート４０から離れることによって、乗員がシート４０に着座していない状態になったことを検知すると、シート４０が許可区間に位置しているならば通常モードから高速モードへ切り替える。また、シート制御装置１０は、乗員がシート４０に着座していない状態でシート４０を移動させている場合（すなわち、高速モードでシート４０を移動させている）場合において、例えば、乗員がシート４０に着座することによって、乗員がシート４０に着座した状態になったことを検知すると、シート４０が許可区間に位置しているならば高速モードから通常モードへ切り替える。
【００６２】
シート４０が禁止区間に位置している場合、シート制御装置１０は、上述した通常モードと高速モードとの切り替えは行わない。なぜならば、禁止区間においてモードを切り替える場合、禁止区間においては通常モードの場合の第１の移動軌跡と高速モードの場合の第２の移動軌跡とは異なっているため、シート４０を、現在の移動軌跡上の位置から、モード切り替え後の移動軌跡上の位置へ移動させるための動作が必要になり、設計コスト等の増加が発生しうるからである。
【００６３】
なお、上述したように本実施形態においては、シート制御装置１０は、シート４０の位置に基づいてモードの切り替えを行うか否かを決定するが、これに限られない。例えば、シート制御装置１０は、シート４０の移動開始位置ＰＴ１（図２）からの移動の累積移動時間に基づいてモードの切り替えを行うか否かを決定してもよい。この場合、例えば、シート４０が移動開始位置ＰＴ１から移動を開始してからの時間の累積値が、所定の値Ａから所定の値Ｂまでの間の値である場合には、シート制御装置１０は、モードの切り替えを行わないようにする。
【００６４】
［シート制御装置１０の機能構成］
以下、シート制御装置１０の機能構成について説明する。図７は、本発明の実施形態に係るシート制御装置１０の機能構成を示すブロック図である。
【００６５】
図示するように、シート制御装置１０は、操作受付部１０１と、検知部１０２と、モード決定部１０３と、移動制御部１０４と、を含んで構成される。また、検知部１０２は、物体検知部１０２１と、位置検知部１０２２と、を含んで構成される。また、検知部１０２は、上述した常時電源１２やＡ／Ｄ変換器１４等の、電流値を測定して乗員検知センサー２０の状態を判定するための構成を備える。
【００６６】
操作受付部１０１は、乗員等の操作によりリモコン５０または昇降操作スイッチ４０１から、シート４０を振出または格納させる指示を受け付ける。
【００６７】
物体検知部１０２１は、シート４０に乗員が着座しているか（物体が載っているか）否かを検知する。物体とは、例えば、乗員、荷物、および動物等である。
【００６８】
位置検知部１０２２は、シート４０が移動する移動軌跡に含まれる位置である位置ＰＴ２（第１の位置）と位置ＰＴ５（第２の位置）との間の区間である禁止区間にシート４０が位置しているか否かを検知する。
【００６９】
モード決定部１０３は、物体検知部１０２１によりシート４０に乗員が着座している（物体が載っている）と検知された場合にはシート４０を移動させるモードを通常モードに決定し、物体検知部１０２１によりシート４０に乗員が着座していない（物体が載っていない）と検知された場合には通常モードによるシート４０の移動の速度よりも速い速度でシート４０を移動させるモードである高速モードに決定する。
【００７０】
また、モード決定部１０３は、移動制御部１０４によりシート４０の移動が開始した後、物体検知部１０２１によりシート４０に乗員が着座しているか否か（物体が載っているか否か）の判定が切り替わった場合において、禁止区間にシート４０が位置している場合には、通常モードと高速モードとの間のモードの切り替えを禁止する。
【００７１】
また、モード決定部１０３は、シート４０が高速モードで移動しており、シート４０が禁止区間に位置している場合であって、物体検知部１０２１によりシート４０に乗員が着座している（物体が載っている）ことが検知された場合には、シート４０の移動を停止させる。
【００７２】
移動制御部１０４は、モード決定部１０３によって決定されたモードに基づいてシート４０の移動を制御する。また、移動制御部１０４は、シート４０が通常モードで移動しており、シート４０が禁止区間に位置していない場合であって、物体検知部１０２１によりシート４０に乗員が着座していない（物体が載っていない）と検知された場合には、シート４０を移動させる移動軌跡を第１の移動軌跡から第２の移動軌跡に切り替える。
【００７３】
また、移動制御部１０４は、シート４０が高速モードで移動しており、シート４０が禁止区間に位置していない場合であって、物体検知部１０２１によりシート４０に乗員が着座している（物体が載っている）と検知された場合には、シート４０を移動させる移動軌跡を第２の移動軌跡から第１の移動軌跡に切り替える。また、移動制御部１０４は、シート４０が禁止区間に位置している場合には、第１の移動軌跡と第２の移動軌跡との間の切り替えを行わない。
【００７４】
（シート制御装置１０の動作）
以下、シート制御装置１０の動作について説明する。図８乃至図１０は、本発明の実施形態に係るシート制御装置１０の動作を示すフローチャートである。図８乃至図１０のフローチャートが示す動作は、定期的に（例えば、０．５秒毎に）開始する。
【００７５】
まず、位置検知部１０２２は、禁止区間にシート４０が位置しているか否かを判定する（ステップＳ００１）。
【００７６】
禁止区間にシート４０が位置していないと判定した場合、位置検知部１０２２は、操作受付部１０１は、リモコン５０または昇降操作スイッチ４０１から、シート４０の格納を要求する格納ボタンが押下されたことを示す情報を受け付けたか否かを判定する（ステップＳ００２）。
【００７７】
格納ボタンが押下されたことを示す情報を受け付けていない場合、操作受付部１０１は、リモコン５０または昇降操作スイッチ４０１から、シート４０の振出を要求する振出ボタンが押下されたことを示す情報を受け付けたか否かを判定する（ステップＳ００３）。
【００７８】
振出ボタンが押下されたことを示す情報を受け付けていない場合、移動制御部１０４は、シート４０の動作を停止させるように制御する。（ステップＳ００４）。
【００７９】
振出ボタンが押下されたことを示す情報を受け付けた場合、物体検知部１０２１は、シート４０に乗員がいるか（乗員が着座しているか）否かを判定する（ステップＳ００５）。
【００８０】
シート４０に乗員がいない（乗員が着座してない）と判定した場合、移動制御部１０４は、シート４０に高速モードでの振出動作をさせるように制御する（ステップＳ００６）。
【００８１】
シート４０に乗員がいる（乗員が着座している）と判定した場合、移動制御部１０４は、シート４０に通常モードでの振出動作をさせるように制御する（ステップＳ００７）。
【００８２】
格納ボタンが押下されたことを示す情報を受け付けた場合、物体検知部１０２１は、シート４０に乗員がいるか（乗員が着座しているか）否かを判定する（ステップＳ００８）。
【００８３】
シート４０に乗員がいない（乗員が着座してない）と判定した場合、移動制御部１０４は、シート４０に高速モードでの格納動作をさせるように制御する（ステップＳ００９）。
【００８４】
シート４０に乗員がいる（乗員が着座している）と判定した場合、移動制御部１０４は、シート４０に通常モードでの格納動作をさせるように制御する（ステップＳ０１０）。
【００８５】
禁止区間にシート４０が位置していると判定した場合、位置検知部１０２２は、シート４０が第２の移動軌跡上に位置しているか否かを判定する。（ステップＳ０１１）。
【００８６】
シート４０が第２の移動軌跡上に位置していないと判定した場合、操作受付部１０１は、リモコン５０または昇降操作スイッチ４０１から、シート４０の格納を要求する格納ボタンが押下されたことを示す情報を受け付けたか否かを判定する（ステップＳ０１２）。
【００８７】
格納ボタンが押下されたことを示す情報を受け付けていない場合、操作受付部１０１は、リモコン５０または昇降操作スイッチ４０１から、シート４０の振出を要求する振出ボタンが押下されたことを示す情報を受け付けたか否かを判定する（ステップＳ０１３）。
【００８８】
振出ボタンが押下されたことを示す情報を受け付けていない場合、移動制御部１０４は、シート４０の動作を停止させるように制御する。（ステップＳ０１４）。
【００８９】
振出ボタンが押下されたことを示す情報を受け付けた場合、移動制御部１０４は、シート４０に通常モードでの振出動作をさせるように制御する（ステップＳ１１５）。
【００９０】
格納ボタンが押下されたことを示す情報を受け付けた場合、移動制御部１０４は、シート４０に通常モードでの格納動作をさせるように制御する（ステップＳ１１６）。
【００９１】
シート４０が第２の移動軌跡上に位置していると判定した場合、操作受付部１０１は、リモコン５０または昇降操作スイッチ４０１から、シート４０の格納を要求する格納ボタンが押下されたことを示す情報を受け付けたか否かを判定する（ステップＳ０１７）。
【００９２】
格納ボタンが押下されたことを示す情報を受け付けていない場合、操作受付部１０１は、リモコン５０または昇降操作スイッチ４０１から、シート４０の振出を要求する振出ボタンが押下されたことを示す情報を受け付けたか否かを判定する（ステップＳ０１８）。
【００９３】
振出ボタンが押下されたことを示す情報を受け付けていない場合、移動制御部１０４は、シート４０の動作を停止させるように制御する。（ステップＳ０１９）。
【００９４】
振出ボタンが押下されたことを示す情報を受け付けた場合、物体検知部１０２１は、シート４０に乗員がいるか（乗員が着座しているか）否かを判定する（ステップＳ０２０）。
【００９５】
シート４０に乗員がいない（乗員が着座してない）と判定した場合、移動制御部１０４は、シート４０に高速モードでの振出動作をさせるように制御する（ステップＳ０２１）。
【００９６】
シート４０に乗員がいる（乗員が着座している）と判定した場合、移動制御部１０４は、シート４０の動作を停止させるように制御する。（ステップＳ０２２）。
【００９７】
格納ボタンが押下されたことを示す情報を受け付けた場合、物体検知部１０２１は、シート４０に乗員がいるか（乗員が着座しているか）否かを判定する（ステップＳ０２３）。
【００９８】
シート４０に乗員がいない（乗員が着座してない）と判定した場合、移動制御部１０４は、シート４０に高速モードでの格納動作をさせるように制御する（ステップＳ０２４）。
【００９９】
物体検知部１０２１が、シート４０に乗員がいる（乗員が着座している）と判定した場合、移動制御部１０４は、シート４０の動作を停止させるように制御する。（ステップＳ０２５）。以上で、本フローチャートの処理は終了する。
【０１００】
以上、説明したように、本実施形態に係るシート制御装置１０によれば、シート４０の駆動動作の切り替えを行うとシート４０の駆動動作が複雑になる区間である禁止区間では、駆動動作の切り替えを禁止することにより、駆動動作を複雑にすることなくシート４０の駆動動作の切り替えを制御することができる。
【０１０１】
また、本実施形態に係るシート制御装置１０によれば、シート４０に乗員が着座していない場合のモードでシート４０が移動している際に乗員がシート４０に着座した場合にはシート４０の移動を停止させるため、安全にシート４０の移動を制御することができる。
【０１０２】
また、本実施形態に係るシート制御装置１０によれば、シート４０の移動軌跡の切り替えを行うとシート４０の駆動動作が複雑になる区間である禁止区間では、シート４０の移動軌跡の切り替えを禁止することにより、駆動動作を複雑にすることなくシート４０の駆動動作の切り替えを制御することができる。
【０１０３】
また、本実施形態に係るシート制御装置１０によれば、シート４０の移動軌跡の切り替えを行うとシート４０の駆動動作が複雑になる区間である禁止区間以外の区間である許可区間では、シート４０の移動軌跡の切り替えを許可することにより、シート４０の移動制御における安全性を保ちつつ、シート４０の移動時間の短縮およびシートの移動における消費電力の削減を図ることができる。
【０１０４】
以上、この発明の実施形態について詳しく説明してきたが、具体的な構成は上述のものに限られることはなく、この発明の要旨を逸脱しない範囲内において様々な設計変更等をすることが可能である。
【０１０５】
なお、上述した実施形態におけるシート制御装置１０の一部又は全部をコンピュータで実現するようにしてもよい。その場合、この制御機能を実現するためのプログラムをコンピュータ読み取り可能な記録媒体に記録して、この記録媒体に記録されたプログラムをコンピュータシステムに読み込ませ、実行することによって実現してもよい。
【０１０６】
なお、ここでいう「コンピュータシステム」とは、本実施形態に係るシート制御装置１０に内蔵されたコンピュータシステムであって、ＯＳ（Ｏｐｅｒａｔｉｎｇ  Ｓｙｓｔｅｍ）や周辺機器等のハードウェアを含むものとする。また、「コンピュータ読み取り可能な記録媒体」とは、フレキシブルディスク、光磁気ディスク、ＲＯＭ（Ｒｅａｄ  Ｏｎｌｙ  Ｍｅｍｏｒｙ）、ＣＤ−ＲＯＭ（Ｃｏｍｐａｃｔ  Ｄｉｓｃ  Ｒｅａｄ  Ｏｎｌｙ  Ｍｅｍｏｒｙ）等の可搬媒体、コンピュータシステムに内蔵されるハードディスクドライブ（ＨＤＤ）等の記憶装置のことをいう。
【０１０７】
さらに「コンピュータ読み取り可能な記録媒体」とは、インターネット等のネットワークや電話回線等の通信回線を介してプログラムを送信する場合の通信回線のように、短時間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであっても良く、さらに前述した機能をコンピュータシステムにすでに記録されているプログラムとの組み合わせで実現できるものであってもよい。
【０１０８】
また、上述した実施形態における本実施形態に係るシート制御装置１０を、ＬＳＩ（Ｌａｒｇｅ  Ｓｃａｌｅ  Ｉｎｔｅｇｒａｔｉｏｎ）等の集積回路として実現してもよい。本実施形態に係るシート制御装置１０の各機能ブロックは個別にプロセッサ化してもよいし、一部、または全部を集積してプロセッサ化してもよい。また、集積回路化の手法はＬＳＩに限らず専用回路、または汎用プロセッサで実現してもよい。また、半導体技術の進歩によりＬＳＩに代替する集積回路化の技術が出現した場合、当該技術による集積回路を用いてもよい。
【符号の説明】
【０１０９】
１…車両、１０…シート制御装置、２０…乗員検知センサー、３０…ワイヤーハーネス、４０…シート、５０…リモコン、６０…インストルメントパネル、７０…乗降用ドア、８０…センターピラー、１０１…操作受付部、１０２…検知部、１０３…モード決定部、１０４…移動制御部、２０１…スイッチ、４０１…昇降操作スイッチ、１０２１…物体検知部、１０２２…位置検知部
【図１】
2018034661.tif 000003
【図２】
2018034661.tif 000004
【図３】
2018034661.tif 000005
【図４】
2018034661.tif 000006
【図５】
2018034661.tif 000007
【図６】
2018034661.tif 000008
【図７】
2018034661.tif 000009
【図８】
2018034661.tif 000010
【図９】
2018034661.tif 000011
【図１０】
2018034661.tif 000012